(57)【要約】【課題】気流浄化器によってアクティブ気流を生成して防護マスクの内外を循環する気流を形成できると共に、気流浄化器の光殺菌機能によって循環気流に対して殺菌を行うことができる殺菌防護マスクを提供する。【解決手段】本考案に係る殺菌防護マスク３０は、収容空間を有する本体１００と、ハウジング、気流生成ユニット及び光殺菌ユニットを有する気流浄化器とを備える。ハウジングには、吸気端部、排気端部及び気流通路が設けられており、吸気端部又は排気端部は本体１００に接続され、気流通路は、吸気端部及び排気端部において開口し且つ収容空間を外部の大気に連通させる。気流生成ユニットは、吸気端部、排気端部又は気流通路に設置されている。光殺菌ユニットは、気流通路の少なくとも一部との間に光学的遮蔽がない状態で設置されている。【選択図】図７Ａ
0003233512.tif 000002
【実用新案登録請求の範囲】
【請求項１】
収容空間を有する本体と、
ハウジング、気流生成ユニット及び光殺菌ユニットを有する気流浄化器と、を備え、
前記ハウジングには、吸気端部、排気端部及び気流通路が設けられており、前記吸気端部又は前記排気端部は前記本体に接続され、前記気流通路は、前記吸気端部及び前記排気端部において開口し且つ前記収容空間を外部の大気に連通させ、
前記気流生成ユニットは、前記吸気端部、前記排気端部又は前記気流通路に設置され、
前記光殺菌ユニットは、前記気流通路の少なくとも一部との間に光学的遮蔽がない状態で設置されていることを特徴とする、殺菌防護マスク。
【請求項２】
前記殺菌防護マスクは吸気浄化モード及び排気浄化モードを有し、
前記吸気浄化モードでは、前記排気端部が前記本体に接続され、
前記排気浄化モードでは、前記吸気端部が前記本体に接続されていることを特徴とする、請求項１に記載の殺菌防護マスク。
【請求項３】
前記気流浄化器は二つ備えられ、
前記殺菌防護マスクは吸排気浄化モードを有し、前記吸排気浄化モードでは、一方の前記気流浄化器が前記排気端部を介して前記本体に接続され、他方の前記気流浄化器が前記吸気端部を介して前記本体に接続されていることを特徴とする、請求項１に記載の殺菌防護マスク。
【請求項４】
前記ハウジングは、
上部開口が設けられた上蓋と、
上部空間が設けられた上部ハウジングと、
下部空間が設けられた下部ハウジングと、
下部開口が設けられた下蓋と、を有し、
前記上蓋、前記上部ハウジング、前記下部ハウジング及び前記下蓋は、この順で互いに接続され、
前記上部ハウジングは前記下部ハウジングに分離可能に接続され、
前記上蓋は前記本体に分離可能に接続され、又は、前記下蓋は前記本体に分離可能に接続され、
前記上部開口、前記上部空間、前記下部空間及び前記下部開口は、この順で互いに連通されて前記気流通路を構成し、
前記気流生成ユニット及び前記光殺菌ユニットは、前記気流生成ユニットが前記光殺菌ユニットよりも前記上蓋に近く位置するように、前記上部空間内に設置されていることを特徴とする、請求項１に記載の殺菌防護マスク。
【請求項５】
前記上部ハウジングには、前記上部空間と連通する電源用挿入孔が更に設けられ、
前記光殺菌ユニットには、前記電源用挿入孔から露出するように前記電源用挿入孔内に延設された充電コネクタが設けられていることを特徴とする、請求項４に記載の殺菌防護マスク。
【請求項６】
前記下蓋には、下蓋部及び遮蔽片が設けられ、
前記下部開口は、前記下蓋部に形成され、
前記遮蔽片は、前記下部開口を遮るように、間隔をおいて前記下蓋部に設置されていることを特徴とする、請求項４に記載の殺菌防護マスク。
【請求項７】
前記下蓋には、下蓋部及びフィルタ部材が設けられ、
前記下部開口は、前記下蓋部に形成され、
前記フィルタ部材は、前記下部開口を遮るように、前記下蓋部に設置されていることを特徴とする、請求項４に記載の殺菌防護マスク。
【請求項８】
前記本体には、互いに接続する鼻口部及び眼額部が設けられ、
前記収容空間には、互いに連通する鼻口収容空間及び眼額収容空間が含まれ、
前記鼻口収容空間は前記鼻口部によって画定され、前記眼額収容空間は前記眼額部によって画定され、
前記気流浄化器は、前記気流通路が前記鼻口収容空間と連通するように、前記鼻口部に配置されていることを特徴とする、請求項１に記載の殺菌防護マスク。
【請求項９】
前記本体には、鼻口部と、眼額部と、二つの側部と、頭上−後頭部とが設けられ、
二つの前記側部は、前記鼻口部、前記眼額部及び前記頭上−後頭部と共に前記収容空間を形成するように、前記鼻口部の対向する両側、前記眼額部の対向する両側、及び前記頭上−後頭部の対向する両側にそれぞれ接続され、
前記収容空間には、互いに連通する鼻口収容空間、眼額収容空間、及び頭上−後頭収容空間が含まれ、
前記鼻口収容空間は前記鼻口部によって画定され、前記眼額収容空間は前記眼額部によって画定され、前記頭上−後頭収容空間は、二つの前記側部と、前記頭上−後頭部との協働によって画定され、
各前記側部には、前記鼻口収容空間と連通する取り付け凹部と、吸排気孔とが設けられ、
二つの前記側部における前記取り付け凹部は互いに対向しており、
前記気流浄化器は二つ備えられ、二つの前記気流浄化器は、前記気流通路が二つの前記側部における前記吸排気孔とそれぞれ連通するように、二つの前記側部における前記取り付け凹部にそれぞれ配置されていることを特徴とする、請求項１に記載の殺菌防護マスク。
【請求項１０】
前記殺菌防護マスクには、開口封止部材が更に備えられ、
前記本体には、二つの前記側部と、前記鼻口部と、前記頭上−後頭部との協働によって形成される着脱用開口が更に設けられ、
前記着脱用開口は、前記頭上−後頭収容空間と連通し、
前記開口封止部材は、前記着脱用開口の周囲における前記本体に設けられていることを特徴とする、請求項９に記載の殺菌防護マスク。
【請求項１１】
前記殺菌防護マスクは、吸気浄化モード、排気浄化モード及び吸排気浄化モードを有し、
前記吸気浄化モードでは、二つの前記気流浄化器は、前記吸気端部が前記吸排気孔に向くように二つの前記側部にそれぞれ接続され、
前記排気浄化モードでは、二つの前記気流浄化器は、前記排気端部が前記吸排気孔に向くように二つの前記側部にそれぞれ接続され、
前記吸排気浄化モードでは、二つの前記気流浄化器は、一方の前記気流浄化器における前記排気端部が前記吸排気孔に向くと共に、他方の前記気流浄化器における前記吸気端部が前記吸排気孔に向くように、二つの前記側部にそれぞれ接続されていることを特徴とする、請求項９に記載の殺菌防護マスク。
【請求項１２】
前記ハウジングは、
上部開口が設けられた上蓋と、
上部空間及び前記上部空間と連通する電源用挿入孔が設けられた上部ハウジングと、
下部空間が設けられた下部ハウジングと、
下部開口が設けられた下蓋と、を有し、
前記上蓋、前記上部ハウジング、前記下部ハウジング及び前記下蓋は、この順で互いに接続され、
前記上部ハウジングは前記下部ハウジングに分離可能に接続され、
前記上蓋は前記本体に分離可能に接続され、又は、前記下蓋は前記本体に分離可能に接続され、
前記上部開口、前記上部空間、前記下部空間及び前記下部開口は、この順で互いに連通されて前記気流通路を構成し、
前記気流生成ユニット及び前記光殺菌ユニットは、前記気流生成ユニットが前記光殺菌ユニットよりも前記上蓋に近く位置するように、前記上部空間内に設置され、
前記光殺菌ユニットには、前記電源用挿入孔から露出するように前記電源用挿入孔内に延設された充電コネクタが設けられ、
各前記側部には、前記取り付け凹部と連通する第一充電貫通孔及び第二充電貫通孔が更に設けられ、
前記第一充電貫通孔と前記吸排気孔との間の距離は、前記第二充電貫通孔と前記吸排気孔との間の距離よりも大きく、
前記殺菌防護マスクは、吸気浄化モード、排気浄化モード及び吸排気浄化モードを有し、
前記吸気浄化モードでは、二つの前記気流浄化器は、前記上蓋が前記吸排気孔に向くように二つの前記側部にそれぞれ接続され、且つ二つの前記気流浄化器における前記電源用挿入孔は、二つの前記側部における前記第二充電貫通孔にそれぞれ位置合わせされ、
前記排気浄化モードでは、二つの前記気流浄化器は、前記下蓋が前記吸排気孔に向くように二つの前記側部にそれぞれ接続され、且つ二つの前記気流浄化器における前記電源用挿入孔は、二つの前記側部における前記第一充電貫通孔にそれぞれ位置合わせされ、
前記吸排気浄化モードでは、二つの前記気流浄化器は、一方の前記気流浄化器における前記上蓋が前記吸排気孔に向くと共に、他方の前記気流浄化器における前記下蓋が前記吸排気孔に向くように、二つの前記側部にそれぞれ接続され、且つ二つの前記気流浄化器における前記電源用挿入孔は、一方の前記側部における前記第二充電貫通孔及び他方の前記側部における前記第一充電貫通孔にそれぞれ位置合わせされていることを特徴とする、請求項９に記載の殺菌防護マスク。
【考案の詳細な説明】
【技術分野】
【０００１】
本考案は、防護マスクに関し、特にアクティブ気流を生成して空気を誘導すると共に、誘導される空気に対して殺菌を行う防護マスクに関する。
【背景技術】
【０００２】
人口の増加に伴い、都市部などの人口密集地では、インフルエンザや肺結核などの呼吸器感染症の感染リスクが著しく高まっている。空気を経由して広まる飛沫や浮遊粒子などの感染源を防ぐために、ゴーグルやサージカルマスクなどの医療用個人防護具（ＰＰＥ）は既に病院や検疫施設から日常生活に至るまで広く使用されている。
【０００３】
しかし、これら個人用保護具のうち、簡易なものでは空気中の感染物質を限定的にしか遮断できず、一方、防備がしっかりしていて密閉できるものでは、息苦しくなるといった不便がある。また、これら個人防護具の多くは、使い捨てのものであり又は消耗品を要するものであるため再利用ができず、資源の無駄やユーザの着用コストの増加につながるという問題があった。そのため、殺菌効果を維持しつつも楽な呼吸を可能にして装着時の快適性を向上させ、かつ消耗品にかかるコストを削減することをいかに実現するかが、このような保護具においての課題となっている。
【考案の概要】
【考案が解決しようとする課題】
【０００４】
本考案は上記課題に鑑みてなされたものであり、その目的は、気流浄化器によってアクティブ気流を生成して防護マスクの内外を循環する気流を形成できると共に、気流浄化器の光殺菌機能によって循環気流に対して殺菌を行うことができる殺菌防護マスクを提供することにある。これにより、殺菌防護マスク内での高湿や蒸し暑さなどの不快感の発生が回避されるため、殺菌効果を維持しつつも装着快適性を向上させることができ、且つ消耗品の交換にかかるコストを省くことができる。
【課題を解決するための手段】
【０００５】
本考案に係る殺菌防護マスクは、
収容空間を有する本体と、
ハウジング、気流生成ユニット及び光殺菌ユニットを有する気流浄化器と、を備え、
前記ハウジングには、吸気端部、排気端部及び気流通路が設けられており、前記吸気端部又は前記排気端部は前記本体に接続され、前記気流通路は、前記吸気端部及び前記排気端部において開口し且つ前記収容空間を外部の大気に連通させ、
前記気流生成ユニットは、前記吸気端部、前記排気端部又は前記気流通路に設置され、
前記光殺菌ユニットは、前記気流通路の少なくとも一部との間に光学的遮蔽がない状態で設置されている、という点に特徴がある。
【考案の効果】
【０００６】
上述した本考案に係る殺菌防護マスクにおいて、気流浄化器は、吸気端部又は排気端部を介して本体に取り付けることができるように構成されているので、本体に取り付けられる端部を切り替えることで、アクティブ気流の方向を変換させることができる。その結果、殺菌処理の対象となる空気を気流通路に流入させて光殺菌ユニットによって消毒殺菌してから、防護マスク本体内に流入させるか又は防護マスク本体から排出させることが可能となる。したがって、本考案に係る殺菌防護マスクによれば、空気を殺菌して感染源を隔離させる効果を奏しつつ、スムーズな呼吸を可能にして優れた装着快適性を確保することができる。
【図面の簡単な説明】
【０００７】
【図１】本考案の第一実施形態に係る空気殺菌防護マスクの正面図である。
【図２】図１に示す気流浄化器の分解斜視図である。
【図３Ａ】図１に示す気流浄化器の断面図である。
【図３Ｂ】図１に示す気流浄化器の他の態様の断面図である。
【図４】図１に示す気流浄化器の作動状況を示す図である。
【図５】本考案の気流浄化器の他の使用方法を示す模式図である。
【図６】本考案の第二実施形態に係る空気殺菌防護マスクの正面図である。
【図７Ａ】本考案の第三実施形態に係る空気殺菌防護マスクの正面図である。
【図７Ｂ】本考案の第三実施形態に係る空気殺菌防護マスクの部分拡大断面図である。
【図７Ｃ】本考案の第三実施形態に係る空気殺菌防護マスクの部分拡大断面図である。
【図８】本考案の第四実施形態に係る空気殺菌防護マスクの正面図である。
【考案を実施するための形態】
【０００８】
以下、実施形態を用いて本考案を具体的に説明する。ただし、本考案は以下の実施形態に限定されるものではなく、本考案の特許請求の範囲及びその均等物から逸脱しない範囲で、様々な変形を加えて実施することができる。
【０００９】
『第一実施形態』
以下、図１から図５を参照しながら本考案の第一実施形態に係る空気殺菌防護マスク１０を詳細に説明する。図１は本考案の第一実施形態に係る空気殺菌防護マスクの正面図である。図２は本考案における気流浄化器２００の分解斜視図である。図３Ａは本考案における気流浄化器２００の断面図である。図３Ｂは本考案における気流浄化器２００の他の態様の断面図である。図４は本考案における気流浄化器２００の作動状況を説明する図である。図５は本考案における気流浄化器２００の他の使用方法を示す模式図である。
【００１０】
図１に示すように、空気殺菌防護マスク１０は、本体１００と、気流浄化器２００と、固定部材３００とを備える。本実施形態において、本体１００は人の顔における鼻口近辺を覆うマウスマスクに構成されているが、フェイスマスクやヘッドマスクのようなものに構成されてもよい。本体１００は、ユーザの鼻口を収容するための収容空間１１０を有する。本実施形態において、本体１００はユーザの肌に密着しない。収容空間１１０と外部環境とが連通するように、本体１００とユーザの肌との間には隙間が形成されている。本実施形態に係る空気殺菌防護マスク１０の作動状況については後述する。
【００１１】
本体１００は、ガラス、金属等の剛性材料から形成された部材とすることができ、また、弾性樹脂等の弾性材料から形成された部材とすることもできる。本体１００は、全体又は一部を透明な材料で形成することができる。これにより、本考案に係る空気殺菌防護マスク１０を着用した場合であっても、ユーザの顔が隠されることはなく、表情や唇の動きないしメイクの認識が可能であり、覆面禁止法が施行されている国での使用は可能となる。本実施形態において、本体１００は、気流浄化器２００を取り付けるための本体固定構造１０１を有する。ここではネジ構造を例に挙げて実施形態を説明するが、本体固定構造１０１はこれに限定されない。例えば、スナップフィット構造又は挟持構造等の従来の固定手段を採用することもできる。
【００１２】
図２に示すように、気流浄化器２００は、ハウジング２１０と、気流生成ユニット２２０と、光殺菌ユニット２３０とを有する。ハウジング２１０には、吸気端部２１１と、排気端部２１２と、気流通路２１３とが設けられている。吸気端部２１１又は排気端部２１２は、本体１００に接続され、気流通路２１３は、吸気端部２１１及び排気端部２１２において開口しており、収容空間１１０を外部の大気に連通させる。より具体的には、ハウジング２１０は、上蓋２１４と、上部ハウジング２１５と、下部ハウジング２１６と、下蓋２１７とを有する。図３Ａに示すように、上蓋２１４、上部ハウジング２１５、下部ハウジング２１６及び下蓋２１７は、この順で互いに接続されている。上部ハウジング２１５は、下部ハウジング２１６に分離可能に接続されている。上蓋２１４には上蓋固定構造２１４２が設けられ、下蓋２１７には下蓋固定構造２１７５が設けられている。上蓋固定構造２１４２及び下蓋固定構造２１７５のそれぞれは、本体固定構造１０１と互いに固定することができる。吸気端部２１１を本体１００に接続する場合では、上蓋固定構造２１４２及び本体固定構造１０１を介して上蓋２１４が本体１００に分離可能に接続される。排気端部２１２を本体１００に接続する場合では、下蓋固定構造２１７５及び本体固定構造１０１を介して下蓋２１７が本体１００に分離可能に接続される。上蓋２１４には、上述した上蓋固定構造２１４２に加えて上部開口２１４１が設けられている。上部ハウジング２１５には、互いに連通する上部空間２１５１と電源用挿入孔２１５２とが設けられている。下部ハウジング２１６には下部空間２１６１が設けられている。下蓋２１７には下部開口２１７１が設けられている。上部開口２１４１、上部空間２１５１、下部空間２１６１及び下部開口２１７１は、この順に互いに連通されて気流通路２１３を構成する。
【００１３】
気流生成ユニット２２０及び光殺菌ユニット２３０は、上部空間２１５１内に設置され、且つ気流生成ユニット２２０は光殺菌ユニット２３０よりも上蓋２１４に近く位置する。光殺菌ユニットからの殺菌光が下部空間２１６１に十分に照射されるように、下部空間２１６１及び光殺菌ユニット２３０は互いの間に光学的遮蔽がないように構成されている。
【００１４】
下蓋２１７には、下蓋部２１７２及び遮蔽片２１７３が設けられている。下部開口２１７１は、下蓋部２１７２に形成されている。遮蔽片２１７３は、下部開口２１７１を遮るように、間隔をおいて下蓋部２１７２に設置されている。この構成により、下部開口２１７１からの紫外線の漏れが抑制される。
【００１５】
本考案における他の態様において、図３Ｂに示すように、下蓋２１７には、下蓋部２１７２と、フィルタ部材２１７４とが設けられている。下部開口２１７１は、下蓋部２１７２に形成されている。フィルタ部材２１７４は、下部開口２１７１全体に敷き詰められるように下蓋部２１７２に設置されており、氣流が気流浄化器２００から出るにはフィルタ部材２１７４を通過しなければならないようになっている。フィルタ部材２１７４としては、網フィルタ又はスポンジフィルタなどの従来のものを採用し得る。この構成により、下部空間２１６１を通過する間に紫外線を受けながらも死滅しなかった病原菌はフィルタ部材２１７４に付着し留まるため、紫外線をフィルタ部材２１７４に照射し続けて病原菌を死滅させることができる。
【００１６】
気流生成ユニット２２０は、吸気端部２１１、排気端部２１２又は気流通路２１３内に配置されている。本実施形態において、図３Ａ及び図４に示すように、気流生成ユニット２２０は上部空間２１５１内に位置するように上部ハウジング２１５に配置されている。気流生成ユニット２２０は、気流浄化器２００の吸気端部２１１（すなわち上部開口２１４１）からハウジング２１０内の気流通路２１３に入り且つ排気端部２１２から気流浄化器２００を出るように、空気を流動させる。本実施形態において、気流生成ユニット２２０はファンである。但し、他の態様として、気流生成ユニット２２０はイオン風生成装置等の空気を流動させる手段であり得る。本実施形態において、気流生成ユニット２２０は上部空間２１５１内に配置されているが、他の態様として、気流生成ユニット２２０は、気流通路２１３を通過する気流を生成するように、下部空間２１６１内に、又は上蓋２１４若しくは下蓋２１７に配置されてもよい。
【００１７】
光殺菌ユニット２３０は、電源、回路、発光素子等が設けられた回路アセンブリである。本実施形態において、光殺菌ユニット２３０は、電池、駆動回路を有する回路板、紫外線ランプ、及び充電コネクタ等が設けられた紫外線照射装置である。光殺菌ユニット２３０は、気流通路２１３の少なくとも一部との間に光学的遮蔽がない状態で設置されている。より具体的には、光殺菌ユニット２３０は、下部空間２１６１に直接的に紫外線を照射するように設置され、且つ気流生成ユニット２２０と電気的に接続（図示せず）されている。光殺菌ユニット２３０は、電源用挿入孔２１５２から露出するように電源用挿入孔２１５２内に延設された充電コネクタ２３１を含む。充電コネクタ２３１としては、市販のＤＣプラグ、ＵＳＢプラグ、ＭｉｃｒｏＵＳＢプラグ等の従来の電源端子と接続可能なものを採用し得る。この構成により、組み立て後の気流浄化器２００を、電源用挿入孔２１５２から露出する充電コネクタ２３１を介して外部電源（図示せず）に電気的に接続させることができ、その結果、外部の電力によって光殺菌ユニット２３０及び気流生成ユニット２２０を作動させたり、光殺菌ユニット２３０に内蔵される電池を充電したりすることが可能となる。
【００１８】
本実施形態において、光殺菌ユニット２３０は上部空間２１５１内に配置されているが、紫外線を気流通路２１３の少なくとも一部に照射させて殺菌を行うことができる限り、光殺菌ユニット２３０を例えば遮蔽片２１７３又は下部ハウジング２１６内の中央部又は外周面に配置してもよい。電源用挿入孔２１５２についても、充電コネクタ２３１を収容して露出させることができる限り、上部ハウジング２１５の代わりに上蓋２１４、下部ハウジング２１６又は下蓋２１７に設置してもよい。
【００１９】
気流浄化器２００は、上蓋固定構造２１４２と下蓋固定構造２１７５のいずれかが本体固定構造１０１に接続されることにより、本体１００に取り付けられる。気流浄化器２００は、図１の左側において示されているように、吸気端部２１１を介して本体１００に接続することができ、又は、図１の右側において示されているように、排気端部２１２を介して本体１００に接続することができる。殺菌防護マスク１０は、作動モードとして吸気浄化モード及び排気浄化モードを有する。気流浄化器２００が吸気端部２１１及び排気端部２１２のどちらを介して本体１００に接続されるかに応じて、殺菌防護マスク１０の作動モードが吸気浄化モードと排気浄化モードとの間で切り替えられる。吸気浄化モードは、気流浄化器２００が排気端部２１２を介して本体１００に接続された場合の作動モードであり、吸気浄化モードでは、外部から防護マスク１０内に入りユーザによって吸入される空気に対して消毒が行われる。排気浄化モードは、気流浄化器２００が吸気端部２１１を介して本体１００に接続された場合の作動モードであり、排気浄化モードでは、ユーザから吐出されて外部へ排出される空気に対して消毒が行われる。
【００２０】
固定部材３００は、本体１００をユーザにおける装着部位に固定するためのものであり、本体１００の両側縁部において本体１００に連結されている。本実施形態において、固定部材３００は本体の両側に設けられた一対の掛け紐であるが、他の態様として、固定部材３００は、ベルト、フック又は面ファスナー等の従来の他の固定手段であってもよく、また、装着部位によっては耳掛け式又は頭掛け式のものであってもよい。
【００２１】
以下、本考案の第一実施形態に係る空気殺菌防護マスク１０の使用状態について説明する。
【００２２】
先ず、気流浄化器２００の作動状況について説明する。図３Ａ及び図４に示すように、気流浄化器２００が作動すると、気流生成ユニット２２０は、気流浄化器２００の吸気端部２１１（すなわち上部開口２１４１）からハウジング２１０内の気流通路２１３に入る空気の流れを生成する。上部空間２１５１を通った空気は、下部空間２１６１において紫外線を受けて殺菌され、その後、排気端部２１２（すなわち下部開口２１７１）から排出される。これにより、入ってきた空気を殺菌してから供給先の空間に送り込むことが可能となる。
【００２３】
また、本考案における気流浄化器２００は、本体１００から切り離して単体で使用することもできる。図４に示すように、気流浄化器２００そのものを据え置き型空気殺菌機として使用することができる。更に、図５に示すように、上部ハウジング２１５を下部ハウジング２１６から分離させて、上部ハウジング２１５以上のパーツを手持ち式紫外線照射装置として使用することもできる。
【００２４】
次に、本考案に係る空気殺菌防護マスク１０の使用状態について説明する。
【００２５】
吸気浄化モードでは、図１の右側において示されているように、外部環境の空気が、気流生成ユニット２２０によって吸気端部２１１（すなわち上部開口２１４１）から気流浄化器２００内に吸引され、気流浄化器２００内において殺菌処理された空気が、ユーザに供給される呼吸用気体として、排気端部２１２（すなわち下部開口２１７１）から収容空間１１０内に排出される。そして、気流浄化器２００によって空気が収容空間１１０内に導入されることで、収容空間１１０は外部の大気よりも気圧が高い陽圧状態となるため、収容空間１１０内の空気は自然的に本体１００とユーザとの間の隙間から外部環境に排出される。その結果、殺菌効果を維持しつつも、楽な呼吸を可能にして装着快適性を向上させることができる。
【００２６】
上述した吸気浄化モードは、健康なユーザが、外部の病原体の侵入を防ぐべく、体内に吸い込まれる空気を殺菌しておきたい場面であって、例えば公共交通機関を利用する場面、窓口で相談を受ける場面、又は医師が診療を行う場面のような、不特定多数と接触する必要がある場面に使用することができる。このような場合において本考案に係る空気殺菌防護マスク１０を装着すれば、病原体を含む可能性のある外部空気に触れる前に確実に殺菌処理を行っておくことが可能となる。
【００２７】
排気浄化モードでは、図１の左側において示されているように、収容空間１１０内の空気が、気流生成ユニット２２０によって吸気端部２１１（すなわち上部開口２１４１）から気流浄化器２００内に吸引され、気流浄化器２００内において殺菌処理された空気が、排気端部２１２（すなわち下部開口２１７１）から外部環境に排出される。そして、気流浄化器２００によって空気が収容空間１１０から排出されることで、収容空間１１０は外部の大気よりも気圧が低い陰圧状態となるため、外部環境の空気は自然的に本体１００とユーザとの間の隙間から本体１００内の収容空間１１０内に流入してユーザに供給される。
【００２８】
このように、アクティブ気流の生成によって空気の循環方向が制御され、その結果として、ユーザから吐出された空気を含む収容空間内の空気は、気流浄化器２００内に誘導されて殺菌処理を受けてから外部環境に排出されるようになり、且つ外部の空気は、自然的に隙間から本体１００内の収容空間１１０内に流れ込んでユーザに供給されるようになる。したがって、殺菌効果を維持しつつも、楽な呼吸を可能にして装着快適性を向上させることができる。上述した排気浄化モードは、キャリアであるユーザが、周囲の人への感染を防ぐべく、吐出した空気を殺菌し浄化してから外部環境に排出したい場面に使用することができる。吸気浄化モードについて前述した場面に加え、例えばユーザを陰圧隔離病室に収容することが困難な場面においても使用することができ、この場合、病原体を含む空気を、外部環境に排出される前に確実に殺菌しておくことが可能となる。吸気浄化モードと排気浄化モードのいずれにおいても、本考案に係る空気殺菌防護マスク１０に気流浄化器２００を一つのみ又は二つ以上取り付けることができる。
【００２９】
本考案に係る空気殺菌防護マスク１０は、ユーザの肌に密着するように構成されてもよい。この態様の場合、殺菌防護マスクには、二つの気流浄化器２００が取り付けられており、且つ作動モードとして吸排気浄化モードが備えられている。吸排気浄化モードでは、一方の気流浄化器２００が排気端部２１２（下蓋２１７）を介して本体１００に接続され、他方の気流浄化器２００が吸気端部２１１（上蓋２１４）を介して本体１００に接続されている。図１全体で示されているように、右側の気流浄化器２００では、外部環境の空気が、気流生成ユニット２２０によって上部開口２１４１から気流浄化器２００内に吸引され、気流浄化器２００内において殺菌処理された空気が、収容空間１１０内に流れてユーザに供給される一方、左側の気流浄化器２００では、収容空間１１０内の空気が、気流生成ユニット２２０によって上部開口２１４１から気流浄化器２００内に吸引され、気流浄化器２００内において殺菌処理された空気が、下部開口２１７１から外部の大気に排出される。このように、アクティブ気流の生成により、本体１００を出入りする空気の循環を形成することができ、その結果、肌との密着による高湿や蒸し暑さなどの不快感の発生が回避され、殺菌効果を維持しつつも、楽な呼吸を可能にして装着快適性を向上させることができる。また、吸排気浄化モードでは、収容空間１１０を出入りする空気の両方に対して殺菌処理を行っている。そのため、吸排気浄化モードは、吸気浄化モード及び排気浄化モードについて前述した各場面においても使用可能である。
【００３０】
本実施形態において、気流浄化器２００は本体１００の両側に設置されているが、他の態様として、気流浄化器２００を本体１００の正面や下方等の他の位置に設置してもよい。また、本実施形態においては、本考案における気流浄化器２００は円柱体であると説明していたが、気流浄化器２００は用途に応じて例えば立方体、直方体、角柱等の柱状体又はその他の多面体に形成されてもよい。
【００３１】
『第二実施形態』
以下、図６を参照しながら本考案の第二実施形態に係る空気殺菌防護マスク２０を説明する。図６は、本考案の第二実施形態に係る空気殺菌防護マスク２０の正面図である。
【００３２】
図６に示すように、第二実施形態に係る空気殺菌防護マスク２０は、本体１００に、互いに接続する鼻口部１２０（ユーザの顔における鼻と口の部位に対応）と眼額部１３０（ユーザの顔における両眼と額の部位に対応）とが設けられている共に、収容空間１１０に、互いに連通する鼻口収容空間１１１と眼額収容空間１１２とが含まれている点を除いて、空気殺菌防護マスク１０と同一の構造を有しており、冗長を避けるために重複する記載を省略する。ここで、鼻口収容空間１１１は鼻口部１２０によって画定され、眼額収容空間１１２は眼額部１３０によって画定される。気流浄化器２００は、気流通路２１３が鼻口収容空間１１１と連通するように、鼻口部１２０に配置されている。
【００３３】
第二実施形態に係る空気殺菌防護マスク２０は、上述した構造上の相違点を有するが、吸気浄化モード、排気浄化モード、又はユーザと密着するように構成された態様での作動状況はいずれも第一実施形態に係る空気殺菌防護マスク１０と同一である。したがって、アクティブ気流の生成により、本体１００を出入りする空気の循環を形成することができ、その結果、高湿や蒸し暑さなどの不快感の発生が回避され、殺菌効果を維持しつつも、楽な呼吸を可能にして装着快適性を向上させることができる。
【００３４】
『第三実施形態』
以下、図７Ａから図７Ｃを参照しながら本考案の第三実施形態に係る空気殺菌防護マスク３０を説明する。図７Ａは、本考案の第三実施形態に係る空気殺菌防護マスク３０の正面図である。図７Ｂは、本考案の第三実施形態に係る殺菌防護マスク３０の部分拡大断面図である。図７Ｃは、本考案の第三実施形態に係る殺菌防護マスク３０の部分拡大断面図である。
【００３５】
図７Ａから図７Ｃに示すように、第三実施形態の殺菌防護マスク３０において、本体１００には、鼻口部１２０と、眼額部１３０と、二つの側部１４０、１５０と、頭上−後頭部１６０とが設けられている。鼻口部１２０は、ユーザの顔における鼻と口の部位に対応し、眼額部１３０は、ユーザの顔における両眼と額の部位に対応し、頭上−後頭部１６０は、ユーザの頭上と後頭部に対応し、二つの側部１４０、１５０は、ユーザの顔の両側における耳を含む横顔の部位に対応している。当該二つの側部１４０、１５０は、鼻口部１２０の対向する両側、眼額部１３０の対向する両側、及び頭上−後頭部１６０の対向する両側にそれぞれ接続されており、これらと共に収容空間１１０を形成している。収容空間１１０には、互いに連通する鼻口収容空間１１１、眼額収容空間１１２及び頭上−後頭収容空間１１３が含まれている。鼻口収容空間１１１は鼻口部１２０によって画定され、眼額収容空間１１２は眼額部１３０によって画定され、頭上−後頭収容空間１１３は二つの側部１４０、１５０及び頭上−後頭部１６０の協働によって画定される。側部１４０には、取り付け凹部１４１及び吸排気孔１４２が設けられ、側部１５０には、取り付け凹部１５１及び吸排気孔１５２が設けられている。取り付け凹部１４１、１５１は、鼻口収容空間１１１と連通しており、取り付け凹部１４１と取り付け凹部１５１とは、互いに対向している。
【００３６】
また、本体１００には、二つの側部１４０、１５０と、鼻口部１２０と、頭上−後頭部１６０との協働によって形成された着脱用開口１９０が更に設けられている。着脱用開口１９０は、頭上−後頭収容空間１１３と連通している。
【００３７】
気流浄化器２００は二つ設けられており、これら二つの気流浄化器２００は、気流通路２１３が吸排気孔１４２、１５２とそれぞれ連通するように、取り付け凹部１４１、１５１にそれぞれ配置されている。
【００３８】
以下、本実施形態に係る空気殺菌防護マスク３０の作動状況について説明する。
【００３９】
本実施形態に係る空気殺菌防護マスク３０において、吸排気浄化モードの場合では、図７Ａに示すように、気流浄化器２００は、下蓋２１７又は上蓋２１４が吸排気孔１４２、１５２に隣接するように、上蓋固定構造２１４２、下蓋固定構造２１７５を介して側部１４０、１５０における側部固定構造１５３、１４３にそれぞれ連結され（連結手法については第一実施形態参照）て取り付け凹部１４１、１５１内に固定されている。
【００４０】
吸気浄化モードの場合では、図７Ａの右側及び図７Ｃに示すように、二つの気流浄化器２００は、上蓋２１４が吸排気孔１４２、１５２に隣接するように、二つの側部１４０、１５０における側部固定構造１４３、１５３を介して側部１４０、１５０に連結されて取り付け凹部１４１、１５１内に固定されている。これにより、気流生成ユニット２２０が作動すると、吸排気孔１４２、１５２の外部の空気は、二つの側部１４０、１５０における気流浄化器２００内に吸引され、気流浄化器２００内において殺菌処理された後、鼻口収容空間１１１、眼額収容空間１１２及び頭上−後頭収容空間１１３に排出されてユーザに供給されることとなる。そして、収容空間１１０は外部の大気よりも気圧が高い陽圧状態となるため、収容空間１１０内の空気は自然的にユーザの頸部近辺の着脱用開口１９０から外部環境に排出される。
【００４１】
排気浄化モードの場合では、図７Ａの左側及び図７Ｂに示すように、二つの気流浄化器２００は、下蓋２１７が吸排気孔１４２、１５２に隣接するように、側部１４０、１５０における側部固定構造１４３、１５３を介して側部１４０、１５０に連結されて取り付け凹部１４１、１５１内に固定されている。これにより、気流生成ユニット２２０が作動すると、鼻口収容空間１１１、眼額収容空間１１２及び頭上−後頭収容空間１１３内の空気は、二つの側部１４０、１５０における気流浄化器２００内に吸引され、気流浄化器２００内において殺菌処理された後に下蓋２１７から排出され、吸排気孔１４２、１５２を介して本体１００を出ることとなる。そして、収容空間１１０は外部の大気よりも気圧が低い陰圧状態となるため、外部の空気は自然的にユーザの頸部近辺の着脱用開口１９０から収容空間１１０内に流入する。
【００４２】
これにより、空気の循環方向を、アクティブ気流の生成により目的に応じて制御することができ、その結果、殺菌効果を維持しつつも、楽な呼吸を可能にして装着快適性を向上させることができる。
【００４３】
本実施形態において、気流浄化器２００は本体１００の両側に配置されているが、他の態様として、気流浄化器２００を頭上−後頭部１６０等の他の部位に配置してもよい。更に、本実施形態において、気流浄化器２００は二つ設けられているが、吸排気浄化モード以外のモードでは気流浄化器２００を一つのみ設けてもよく、また、いずれのモードにおいて気流浄化器２００を三つ以上設けてもよい。
【００４４】
他の態様として、空気殺菌防護マスク３０の側部１４０、１５０の各々には、第一充電貫通孔１７０及び第二充電貫通孔１８０が更に設けられてもよい。第一充電貫通孔１７０及び第二充電貫通孔１８０は、取り付け凹部１４１、１５１と連通しており、且つ、第一充電貫通孔１７０と吸排気孔１４２、１５２との間の距離が第二充電貫通孔１８０と吸排気孔１４２、１５２との間の距離よりも大きい。吸気浄化モードでは、電源用挿入孔２１５２は、側部１４０、１５０の第二充電貫通孔１８０にそれぞれ位置合わせされている。排気浄化モードでは、電源用挿入孔２１５２は、側部１４０、１５０の第一充電貫通孔１７０にそれぞれ位置合わせされている。吸排気浄化モードでは、電源用挿入孔２１５２は、第二充電貫通孔１８０及び第一充電貫通孔１７０にそれぞれ位置合わせされている。これにより、いずれのモードにおいても、電源用挿入孔２１５２に位置合わせされている第一充電貫通孔１７０又は第二充電貫通孔１８０を介して気流浄化器２００と本体１００の外部の電源とを電気的に接続させ、作動用電力を得る又は充電を行うことができる。
【００４５】
『第四実施形態』
以下、図８を参照しながら本考案の第四実施形態に係る空気殺菌防護マスク４０を説明する。図８は、本考案の第四実施形態に係る殺菌防護マスクを説明するための図である。
【００４６】
空気殺菌防護マスク４０は、開口封止部材４００を更に備える点を除いて、空気殺菌防護マスク３０と同一の構造を有する。開口封止部材４００は、着脱用開口１９０の周囲における本体１００に設けられている。本実施形態において、開口封止部材４００は、一方の端部をドローコードによって締め付けることができる筒状物である。開口封止部材４００が締め付けられると、着脱用開口１９０の下方における孔部が小さく絞られ、着脱用開口１９０から収容空間１１０を出入りする空気の流れが抑制されることになる。他の態様において、開口封止部材４００を締め付ける手段は、チャック、ボタン又は面ファスナー等の繰り返して着脱可能なものに構成されてもよい。また、開口封止部材４００を本体１００に取り付ける手段としては、上述した繰り返して着脱可能なものを採用できるほか、粘着によって固定するなどのように着脱不可とすることもできる。本体１００をユーザに密着させる態様は、開口封止部材４００の設置により実現することができる。
【００４７】
本実施形態に係る空気殺菌防護マスク４０において、吸排気浄化モードの場合では、一方の気流浄化器２００が上蓋２１４を介して一方の取り付け凹部（１４１又は１５１）に接続され、他方の気流浄化器２００が下蓋２１７を介して他方の取り付け凹部（１５１又は１４１）に接続されている。図８の右側において示されているように、右側の気流浄化器２００が作動すると、右側の吸排気孔１５２の外部の空気は、上部開口２１４１を介して気流浄化器２００内に吸引され、気流浄化器２００内において殺菌処理された後、鼻口収容空間１１１、眼額収容空間１１２及び頭上−後頭収容空間１１３に排出されてユーザに供給されることとなる一方、左側の気流浄化器２００が作動すると、鼻口収容空間１１１、眼額収容空間１１２及び頭上−後頭収容空間１１３内の空気は、上部開口２１４１から気流浄化器２００内に吸引され、気流浄化器２００内において殺菌処理された後に下部開口２１７１から排出され、左側の吸排気孔１４２を通って外部の大気に排出されることとなる。このように、気流生成ユニット２２０によって生成されたアクティブ気流により、本体１００を出入りする空気の循環を形成することができ、その結果、高湿や蒸し暑さなどの不快感の発生が回避され、殺菌効果を維持しつつも、楽な呼吸を可能にして装着快適性を向上させることができる。
【００４８】
前述した第二、第三、第四実施形態に係る空気殺菌防護マスク２０、３０、４０の吸排気浄化モードは、第一実施形態の吸排気浄化モードについて説明したのと同一の場面において使用可能であり、冗長を避けるために重複する記載を省略する。
【００４９】
以上のように、本考案によれば、光殺菌ユニット及び気流生成ユニットを備えた殺菌防護マスクが提供される。このような防護マスクでは、消耗品を必要としない紫外線照射装置によって殺菌を行うことができ、かつ、アクティブ気流を生成して防護マスクを循環する気流を形成できるので、殺菌防護マスク内での高湿や蒸し暑さなどの不快感の発生を回避してユーザの楽な呼吸を可能にすることができ、その結果、殺菌効果を維持しつつも装着快適性を向上させ、且つ消耗品の交換にかかるコストを省くことが可能となる。
【００５０】
本考案は前記実施形態により以上のように開示されているが、前記実施形態は本考案を限定するものではない。本考案の精神と範囲を逸脱しない限りなされた変更や改良は、いずれも本考案の保護範囲に含まれる。本考案により定義される保護の範囲については、添付の特許請求の範囲を参照する。
【符号の説明】
【００５１】
１０、２０、３０、４０  空気殺菌防護マスク
１００  本体
１０１  本体固定構造
１１０  収容空間
１１１  鼻口収容空間
１１２  眼額収容空間
１１３  頭上−後頭収容空間
１２０  鼻口部
１３０  眼額部
１４０、１５０  側部
１４１、１５１  取り付け凹部
１４２、１５２  吸排気孔
１４３、１５３  側部固定構造
１６０  頭上−後頭部
１７０  第一充電貫通孔
１８０  第二充電貫通孔
１９０  着脱用開口
２００  気流浄化器
２１０  ハウジング
２１１  吸気端部
２１２  排気端部
２１３  気流通路
２１４  上蓋
２１５  上部ハウジング
２１６  下部ハウジング
２１７  下蓋
２２０  気流生成ユニット
２３０  光殺菌ユニット
２３１  充電コネクタ
３００  固定部材
４００  開口封止部材
２１４１  上部開口
２１４２  上蓋固定構造
２１５１  上部空間
２１５２  電源用挿入孔
２１６１  下部空間
２１７１  下部開口
２１７２  下蓋部
２１７３  遮蔽片
２１７４  フィルタ部材
２１７５  下蓋固定構造
【図１】
0003233512.tif 000003
【図２】
0003233512.tif 000004
【図３Ａ】
0003233512.tif 000005
【図３Ｂ】
0003233512.tif 000006
【図４】
0003233512.tif 000007
【図５】
0003233512.tif 000008
【図６】
0003233512.tif 000009
【図７Ａ】
0003233512.tif 000010
【図７Ｂ】
0003233512.tif 000011
【図７Ｃ】
0003233512.tif 000012
【図８】
0003233512.tif 000013